(57)【要約】【課題】  ストラップを取り付けることができ、かつ、専用のリモコンホルダを必要とせず、フックに引っかけて壁に固定することが可能なリモコン送信機の提供を主な目的とするものである。【解決手段】  ケース２と、このケース２に貫通孔７を備えたスライド片６を設け、このスライド片６をケース２に収納したときに、貫通孔７に通じるとともにケース２とスライド片６との間に設けた開口１１ａに通じる切り欠き部１１をケース２に設け、スライド片６をケース２に収納した状態で、貫通孔７にストラップを取り付けることができるものである。【選択図】  図４
2006238150.tif 000002
【特許請求の範囲】
【請求項１】
ケースと、このケースに貫通孔を備えたスライド片を設け、前記スライド片を前記ケースに収納したときに、前記貫通孔に通じるとともに前記ケースと前記スライド片との間に設けた開口に通じる切り欠き部を前記ケースに設けたことを特徴とするリモコン送信機。
【請求項２】
前記スライド片が突出したときに、前記スライド片の位置を保持する係止手段を前記スライド片と前記ケースとに設けたことを特徴とする請求項１に記載のリモコン送信機。
【発明の詳細な説明】
【技術分野】
【０００１】
本発明は、遠隔制御可能な機器の受信部に制御信号を送信するリモコン送信機に関する。
【背景技術】
【０００２】
従来、遠隔制御可能な機器の受信部に制御信号を送信するリモコン送信機にストラップなどを挿通する貫通部を設けたものがあった（下記特許文献１を参照）。
【０００３】
また、リモコン送信機を壁に固定する場合、壁にリモコンホルダを予め取り付けておき、このリモコンホルダにリモコン送信機を装着していた（下記特許文献２を参照）。
【特許文献１】特開平４−３０２２９９号公報（図１参照）
【特許文献２】実開平５−  ４８４８９号公報（図１参照）
【発明の開示】
【発明が解決しようとする課題】
【０００４】
前記特許文献１のリモコン送信機を壁に固定する場合は、壁に設けたフックにストラップを引っかけて固定するが、ストラップはひもなどの剛性のない柔らかい材質であるため、ストラップを手で持ってフックに引っかけなければならず面倒であった。
【０００５】
また、前記特許文献２のリモコン送信機を壁に固定する場合は、専用のリモコンホルダを予め壁に固定しておく必要があり、また、固定する場所は１個所に限定され、複数の場所に固定するということはできず、使い勝手が悪かった。
【０００６】
そこで、本発明では、ストラップを取り付けることができ、かつ、専用のリモコンホルダを必要とせず、フックに引っかけて壁に固定することが可能なリモコン送信機の提供を主な目的とするものである。
【課題を解決するための手段】
【０００７】
本発明は、前記目的を達成するため、ケースと、このケースに貫通孔を備えたスライド片を設け、前記スライド片を前記ケースに収納したときに、前記貫通孔に通じるとともに前記ケースと前記スライド片との間に設けた開口に通じる切り欠き部を前記ケースに設けたものである。
【０００８】
また、前記スライド片が突出したときに、前記スライド片の位置を保持する係止手段を前記スライド片と前記ケースとに設けたものである。
【発明の効果】
【０００９】
本発明によれば、初期の目的を達成でき、ストラップを取り付けることができ、かつ、専用のリモコンホルダを必要とせず、フックに引っかけて壁に固定することが可能なリモコン送信機を提供することができる。
【発明を実施するための最良の形態】
【００１０】
以下、図面に基づいて本発明のリモコン送信機を説明する。図１〜図１０は、本発明の第１の実施形態を示すものである。
【００１１】
本発明のリモコン送信機１は、空気調和機などの機器に赤外線などを用いて制御信号を送信し、制御するものである。
【００１２】
リモコン送信機１は、合成樹脂製の２つの前ケース２ａと後ろケース２ｂから構成されるケース２の前面に、空気調和機などの機器の設定温度や風量などを表示する表示部３と、前記機器の設定を変更するために操作される複数のスイッチ４を備えている。また、ケース２内には、表示部３を駆動する回路などを備えた図示しない回路基板等を内蔵している。
【００１３】
ケース２の上面には、前記機器に赤外線を出力する発光ダイオード５を備えている。また、ケース２の背面の上側に、スライド片６を備えている。このスライド片６は、貫通孔７を備えている。この貫通孔７はほぼ円形で、その上側（図２中）に、切り込み部７ａを備えている。スライド片６は、その左右の端部にケース２側に延びる壁６ａを備えており、さらに、この壁６ａから横方向突出し、上下方向に延びた突起８を備えている。ケース２には、スライド片６を収納する凹部９を備えており、この凹部９の左右に上下方向に延び、ケース２の壁６ａと突起８とを案内するＬの字形状の溝１０を備えている。スライド片６は、左右の壁６ａと突起８、特に突起８が溝１０に沿って移動することが可能である。
【００１４】
ケース２の凹部９には、ケース２にスライド片６を収納したときに、スライド片６の貫通孔７に通じるとともにケース２とスライド片６との間に設けた開口１１ａに通じる切り欠き部１１を備えている。切り欠き部１１に通じる開口１１ａは、スライド片６が移動する方向に設けられており、ストラップをつけてスライド片６を移動したときに、ストラップがケース２とスライド片６との間に挟み込まれないようになっている。また、本実施形態のスライド片６は、その上端部６ｂがケース２側に傾斜しているおり、この上端部６ｂには、開口１１ａに通じる窓部６ｃを備えている。このように構成したことによって、スライド片６をケース２に収納した状態でも、ストラップを貫通孔７から挿入した場合、ストラップが貫通孔７、切り欠き部１１、開口１１ａ及び窓部６ｃを通り、ストラップをスライド片６の貫通孔７に通すことが可能となる。
【００１５】
なお、本実施形態では、スライド片６の上端部６ｂがケース２側に傾斜しているために、ストラップが通る切り欠き部１１と開口１１ａとふさがないように、窓部６ｃを必要としたが、スライド片６が平らな形状である場合は、窓部６ｃを設ける必要はない。
【００１６】
スライド片６の背面（ケース２に向かい合う面）には、凹部１２が設けられている。この凹部１１の上下２個所に、ケース２方向に突出した隆起部１２ａ、１２ｂが設けられている。また、ケース２の凹部には、係止爪１３を備えた弾性片１４が設けられている。この凹部１２、隆起部１２ａ、１２ｂ及び係止爪１３を備えた弾性片１４によって、係止手段を構成している。
【００１７】
そして、スライド片６をケース２に収納したときに、係止爪１３がスライド片６の凹部１２に設けた隆起部１２ａに当たることで、スライド片６の不用意な移動を防止している（図４参照）。また、スライド片６を突出させるときは、スライド片６を操作して、係止片１３が弾性片１４の変形によって、隆起部１２ａを乗り上げることで、スライド片６を移動させることができる。また、スライド片６を最大に突出させたときに、係止片１３が弾性片１４の変形によって、隆起部１２ｂを乗り上げて、係止爪１３がスライド片６の凹部１２に設けた隆起部１２ｂと凹部１２の下端との間に位置することで、スライド片６の不用意な移動を防止している（図８参照）。
【００１８】
このように構成したことによって、スライド片６が突出したときに、スライド片６の位置を保持することで、リモコン送信機１をフックに引っかけるときに、スライド片６を手などで押さえる必要がなく、リモコン送信機１のケース２部分を握って、フックに引っかけることができるので、フックに引っかけることが容易となる。また、専用のリモコンホルダを必要としないので、固定する場所を１個所に決める必要がなく、様々な場所に固定することが可能となる。
【００１９】
また、本実施形態のリモコン送信機１のスライド片６は、ケース２の上側に突出して、さらに、貫通孔７がケース２の上に位置するので、フックに引っかけるときに、フックを見ながら引っかけることができるので、フックに引っかけることが容易となる。
【図面の簡単な説明】
【００２０】
【図１】本発明の第１の実施形態のリモコン送信機の正面図。
【図２】同実施形態のリモコン送信機の背面図。
【図３】同実施形態のリモコン送信機の上面図。
【図４】図２のＡ−Ａ線の断面図。
【図５】図２のＢ−Ｂ線の断面図。
【図６】図２のＣ−Ｃ線の断面図。
【図７】同実施形態のリモコン送信機のスライド片を突出させた状態の背面図。
【図８】図７のＤ−Ｄ線の断面図。
【図９】同実施形態のリモコン送信機のスライド片を取り外した状態の背面図。
【図１０】同実施形態のスライド片の背面図。
【符号の説明】
【００２１】
１    リモコン送信機
２    ケース
２ａ  前ケース
２ｂ  後ケース
３    表示部
４    スイッチ
５    発光ダイオード
６    スライド片
６ａ  壁
６ｂ  上端部
６ｃ  窓部
７    貫通孔
７ａ  切り込み部
８    突起
９    凹部
１０    溝
１１    切り欠き部
１１ａ  開口
１２    凹部
１２ａ、１２ｂ  隆起部
１３    係止爪
１４    弾性片
【図１】
2006238150.tif 000003
【図２】
2006238150.tif 000004
【図３】
2006238150.tif 000005
【図４】
2006238150.tif 000006
【図５】
2006238150.tif 000007
【図６】
2006238150.tif 000008
【図７】
2006238150.tif 000009
【図８】
2006238150.tif 000010
【図９】
2006238150.tif 000011
【図１０】
2006238150.tif 000012